(57)【特許請求の範囲】
【請求項１】
鍋を載置する調理器本体と、前記調理器本体内に前記鍋を加熱する熱源と、前記調理器本体内の発熱部位に送風し略水平面上に設けられた回転軸を中心に回転し強制冷却するファンと、前記調理器本体の外郭外面前部もしくは底部又は双方に設けられた吸気口と、略垂直平面上にファンのファン吸気口と、前記吸気口から前記調理器本体外の空気を吸気し前記ファン後面の第１ファン排気口から略後方へ送風された冷却風により冷却される下流側に前記熱源の出力を制御する制御基板と、前記制御基板の下方に基板を収納し固定する基板ケースと、前方開口部を開閉する扉を有し内部に収納された被加熱物を加熱する調理庫と、前記調理庫近傍で上部に前記調理器本体を操作する操作基板と、前記操作基板を収納する操作基板ケースと、前記調理器本体の外郭外面後方の上部又は後部に配置し冷却風を排気する排気口と、前記調理器本体の前方に設けた前記ファンの外周における略接線方向に設けた第２ファン排気口と、前記調理庫の上方に第１調理庫遮蔽板と、前記第１調理庫遮蔽板の前方に前記操作基板ケースと対向し前記調理器本体前面に略平行に設け前記操作基板ケースに対し前記調理庫から受熱することを少なくする第１の凹部と、を備え、前記第１の凹部は、前記操作基板ケースとともに第１の風路を形成し、前記第２ファン排気口から前記ファンの外周における略接線方向に吹き出した前記操作基板及び前記操作基板ケースを冷却する冷却風を前記第１の風路に直接導風する第２の風路を備えた加熱調理器。
【請求項２】
前記操作基板の下方で前記操作基板ケースに前記調理器本体前面に略平行な第２の凹部を前記第１の凹部に沿うように設け、前記第２の凹部及び前記操作基板で形成される第３の風路に前記第２ファン排気口からファンの外周における略接線方向に吹き出した前記操作基板及び前記操作基板ケースを冷却する冷却風を前記第３の風路に導風する第４の風路を備えた請求項１に記載の加熱調理器。
【請求項３】
前記第１の凹部または前記第２の凹部によって形成された前記第１の風路または第３の風路の端に前記調理庫側へ連通する開口部をさらに有し、前記開口部を通り前記調理庫側から前記調理庫と前記調理器本体外郭側面との間へ送風する第５の風路を備えた請求項１または２に加熱調理器。
【請求項４】
前記調理庫と前記調理器本体外郭における前記調理庫側の側面の間に第２調理庫遮熱板を更に有し、前記調理庫側へ送風され、前記開口部を通り前記調理庫側へと導風された冷却風が前記第２調理庫遮熱板と前記調理器本体外郭側面との間に形成され前記排気口へと至
る第６の風路を経由し前記排気口から排出する請求項３に記載の加熱調理器。
【請求項５】
前記第１の凹部上に第１の断熱部材を有するまたは前記第２の凹部に第１の断熱部材を有する請求項１〜４のいずれか１項に記載の加熱調理器。
【請求項６】
前記第６の風路上の前記第２調理庫遮熱板に第２の断熱部材を更に有する請求項４に記載の加熱調理器。
【発明の詳細な説明】
【技術分野】
【０００１】
本発明は、加熱調理器における発熱部品の冷却構成に関するものである。
【背景技術】
【０００２】
従来、この種の加熱調理器は、冷却ファンによって送風された冷却風が熱源を制御する制御基板上の発熱部位を冷却した後、調理器本体を操作する操作部周辺の部材を冷却する構成としている（例えば、特許文献１参照）。
【先行技術文献】
【特許文献】
【０００３】
【特許文献１】特開２００５−１９１９４号公報
【発明の概要】
【発明が解決しようとする課題】
【０００４】
しかしながら、前記従来の構成では、近年加熱部の出力が高まっているため制御基板の発熱量も大きくなっている。同時に冷却風の温度も高まる結果となり、下流側の操作部の冷却効率が低下し、操作部周辺の部材を冷却することが困難であるという課題を有していた。
【０００５】
本発明は、前記従来の課題を解決するもので、調理器本体前方に冷却ファンを配置し、冷却ファンから直接操作部に対し冷却風を導風すると共に、調理庫から受熱することを少なくするために調理庫遮蔽板上に凹部を設け、それを風路とした構成とすることで、冷却効率を高めた信頼性に富む商品価値の高い加熱調理器を提供することを目的とする。
【課題を解決するための手段】
【０００６】
前記従来の課題を解決するために、本発明の加熱調理器は、鍋を載置する調理器本体と、前記調理器本体内に前記鍋を加熱する熱源と、前記調理器本体内の発熱部位に送風し略水平面上に設けられた回転軸を中心に回転し強制冷却するファンと、前記調理器本体の外郭外面前部もしくは底部又は双方に設けられた吸気口と、略垂直平面上にファンのファン吸気口と、前記吸気口から前記調理器本体外の空気を吸気し前記ファン後面の第１ファン排気口から略後方へ送風された冷却風により冷却される下流側に前記熱源の出力を制御する制御基板と、前記制御基板の下方に基板を収納し固定する基板ケースと、前方開口部を開閉する扉を有し内部に収納された被加熱物を加熱する調理庫と、前記調理庫近傍で上部に前記調理器本体を操作する操作基板と、前記操作基板を収納する操作基板ケースと、前記調理器本体の外郭外面後方の上部又は後部に配置し冷却風を排気する排気口と、前記調理器本体の前方に設けたファンの外周における略接線方向に設けた第２ファン排気口と、前記調理庫の上方に第１調理庫遮蔽板と、前記第１調理庫遮蔽板の前方に前記操作基板ケースと対向し前記調理器本体前面に略平行に設け前記操作基板ケースに対し前記調理庫から受熱することを少なくする第１の凹部と、を備え、前記第１の凹部は、前記操作基板ケースとともに第１の風路を形成し、前記第２ファン排気口から前記ファンの外周における略接線方向に吹き出した前記操作基板及び前記操作基板ケースを冷却する冷却風を前記第１の風路に直接導風する第２の風路を備えたものである。
【０００７】
これによって、調理物を加熱する際に冷却風が調理庫から受熱することが少なくなり，冷却効率を高めた信頼性に富む，内部部品の冷却効率の高い耐久性に富む商品価値の高い加熱調理器とすることができる。また、操作基板や操作基板ケースを調理庫の熱から保護し部品をその耐熱温度以下にすることが容易に可能となる。
【発明の効果】
【０００８】
本発明の加熱調理器は、冷却風が調理庫から受熱することが少なく、冷却効率を高めた信頼性に富む商品価値の高い加熱調理器を提供することができる。また、操作基板や操作基板ケースを調理庫の熱から保護し部品をその耐熱温度以下にすることが容易に可能となる。
【図面の簡単な説明】
【０００９】
【図１】本発明の実施の形態１における加熱調理器の詳細図
【図２】本発明の実施の形態１における加熱調理器の詳細図
【図３】本発明の実施の形態１における加熱調理器の詳細図
【図４】本発明の実施の形態２における加熱調理器の詳細図
【図５】本発明の実施の形態３における加熱調理器の詳細図
【図６】本発明の実施の形態４における加熱調理器の詳細図
【図７】本発明の実施の形態５における加熱調理器の詳細図
【図８】本発明の実施の形態６における加熱調理器の詳細図
【発明を実施するための形態】
【００１０】
第１の発明は、鍋を載置する調理器本体と、前記調理器本体内に前記鍋を加熱する熱源と、前記調理器本体内の発熱部位に送風し略水平面上に設けられた回転軸を中心に回転し強制冷却するファンと、前記調理器本体の外郭外面前部もしくは底部又は双方に設けられた吸気口と、略垂直平面上にファンのファン吸気口と、前記吸気口から前記調理器本体外の空気を吸気し前記ファン後面の第１ファン排気口からにより略後方へ送風された冷却風により冷却される下流側に熱源の出力を制御する制御基板と、前記制御基板の下方に基板を収納し固定する基板ケースと、前方開口部を開閉する扉を有し内部に収納された被加熱物を加熱する調理庫と、前記調理庫近傍で上部に前記調理器本体を操作する操作基板と、前記操作基板を収納する操作基板ケースと、前記調理器本体の外郭外面後方の上部又は後部に配置し冷却風を排気する排気口と、前記調理器本体の前方に設けた前記ファンの外周における略接線方向に設けた第２ファン排気口と、前記調理庫の上方に第１調理庫遮蔽板と、前記第１調理庫遮蔽板の前方に前記操作基板ケースと対向し前記調理器本体前面に略平行に設け前記操作基板ケースに対し前記調理庫から受熱することを少なくする第１の凹部と、を備え、前記第１の凹部は、前記操作基板ケースとともに第１の風路を形成し、前記第２ファン排気口から前記ファンの外周における略接線方向に吹き出した前記操作基板及び前記操作基板ケースを冷却する冷却風を前記第１の風路に直接導風する第２の風路を備えたことにより、調理物を加熱する際に冷却風が調理庫から受熱することが少なくなり、冷却効率を高めた信頼性に富む、内部部品の冷却効率の高い耐久性に富む商品価値の高い加熱調理器とすることができる。また、操作基板や操作基板ケースを調理庫の熱から保護し部品をその耐熱温度以下にすることが容易に可能となる。
【００１１】
第２の発明は、特に、第１の発明において、前記操作基板の下方で前記操作基板ケースに前記調理器本体前面に略平行な第２の凹部を前記第１の凹部に沿うように設け、前記第２の凹部及び操作基板で形成される第３の風路に前記第２ファン排気口から前記ファンの外周における略接線方向に吹き出した前記操作基板及び前記操作基板ケースを冷却する冷却風を前記第３の風路に導風する第４の風路を備えたことにより、調理物を加熱する際に冷却風が調理庫から受熱することが更に少なくなり、冷却効率を高めた信頼性に富む、内部部品の冷却効率の高い耐久性に富む商品価値の高い加熱調理器とすることができる。
【００１２】
第３の発明は、特に、第１または第２の発明において、前記第１の凹部または前記第２の凹部によって形成された前記第１の風路または第３の風路の端に前記調理庫側へ連通する開口部をさらに有し、前記開口部を通り前記調理庫側から前記調理庫と前記調理器本体外郭側面との間へ送風する第５の風路を備えたことにより、冷却風を調理庫から受熱することを少なく送風すると同時に、操作部周辺部材を冷却した後の冷却風を調理器本体外郭の冷却に利用することになり、冷却効率を高めた信頼性に富む、内部部品の冷却効率の高い耐久性に富む商品価値の高い加熱調理器とすることができる。
【００１３】
第４の発明は、特に、第３の発明において、前記調理庫と前記調理器本体外郭における調理庫側の側面の間に第２調理庫遮熱板を更に有し、前記調理庫側へ送風され、前記開口部を通り前記調理庫側へと導風された冷却風が前記第２調理庫遮熱板と前記調理器本体外郭側面との間に形成され前記排気口へと至る第６の風路を経由し排気口から排出することにより、更に調理器本体外郭が調理庫から受熱することを防ぐことになり、冷却効率を高めた信頼性に富む、内部部品の冷却効率の高い耐久性に富む商品価値の高い加熱調理器とすることができる。
【００１４】
第５の発明は、特に、第１〜４のいずれか１つの発明に加え、前記第１の凹部上に第１の断熱部材を有するまたは前記第２の凹部上に第１の断熱部材を更に有することにより、更に冷却風が調理庫から受熱することを防ぎ冷却効率を高めた信頼性に富む、内部部品の冷却効率の高い耐久性に富む商品価値の高い加熱調理器とすることができる。
【００１５】
第６の発明は、特に、第４の発明において、前記第６の風路上の前記第２調理庫遮熱板に第２の断熱部材を更に有することにより、更に、冷却風が調理庫から受熱することを防ぐことになり、調理器本体外郭の冷却効率を高めた信頼性に富む、また内部部品の冷却効率の高い耐久性に富む商品価値の高い加熱調理器とすることができる。
【００１６】
以下、本発明の実施の形態について、図面を参照しながら説明する。なお、この実施の形態によって本発明が限定されるものではない。
【００１７】
（実施の形態１）
図１〜３は、本発明の第１の実施の形態における加熱調理器の詳細図を示すものである。
図１〜３において、熱源１１を有する調理器本体１２と、調理器本体１２内の発熱部位１４に送風し、略水平面上に設けられた回転軸を中心に回転し強制冷却するファン１５と、調理器本体１２の外郭外面前部もしくは底部又は双方に設けられた吸気口１３と、略垂直平面上にファン１５のファン吸気口１７と、吸気口１３から調理器本体１２外の空気を吸気しファン１５により略後方へ送風された冷却風の下流側に熱源１１の出力を制御する制御基板２０と、制御基板２０の下方に基板を収納し固定する基板ケース２１と、前方開口部を開閉する扉３１を有し内部に収納された被加熱物を加熱する調理庫２２と、調理器本体の外郭外面後方の上部又は後部に配置し冷却風を排気する排気口１０と、調理器本体１２の前方に設けたファン１５の外周における略接線方向に設けたファン排気口３０と、調理庫２２の上方に調理庫遮蔽板３２と、調理庫遮蔽板３２の前方に調理器本体１２前面に略平行な第１の凹部４１を有し、ファン排気口３０からファン１５の外周における略接線方向に吹き出した冷却風を第１の凹部４１へと導風する風路を構成している。
【００１８】
以上のように構成された加熱調理器の冷却風の経路構成について、以下その動作、作用を説明する。
【００１９】
熱源にガス等の炎を用いた加熱調理器や磁界を発生し、鍋等を加熱する誘導加熱コイルや電気的な抵抗に電流を流すことによりジュール熱を発生させる熱源等を有する加熱調理器の場合、調理器の動作を制御する制御基板が熱源で発生した熱により加熱される。
【００２０】
更に、誘導加熱コイルにより鍋を発熱させる加熱調理器においては、誘導加熱コイルや内部の制御基板の回路上を流れる電流と回路が持つ電気抵抗により誘導加熱コイルや制御基板が自己発熱する。
【００２１】
誘導加熱コイルや制御基板上の部品を耐熱温度以下に温度を下げるために、調理器外部の空気を吸気し、内部の部品を冷却した後、排気する強制空冷方式の冷却構成が必要となる。
【００２２】
更に調理庫２２は、調理庫２２の内部でヒーター等の発熱部材を発熱させることにより被加熱物を調理する方式であるため、周辺部材の温度が上昇する。したがって、周辺部材の温度上昇あるいは調理器本体外郭外面の温度上昇を抑制するために冷却風を導風する必要がある。
【００２３】
従来の加熱調理器においては、熱源１１の出力を制御する制御基板２０上にある発熱部材を熱交換により冷却した後の冷却風を調理庫２２側へ送風し、排出する構成としていた。
【００２４】
しかしながら、前記従来の方式においては、制御基板２０上の発熱部品１４により温め
られた冷却風が調理庫２２周辺、または操作基板３３周辺へと導風されるため冷却効率が低下する。
【００２５】
更に、熱源の高出力化、高火力化に伴い、制御基板２０上の発熱部品１４の発熱量も多くなり冷却効率の低下の要因となっている。
【００２６】
そこで、本実施の形態においてはファン１５の外周における略接線方向に吹き出した冷却風を第１の凹部４１へと導風する風路を有し、調理器本体１２の外から吸気した冷却風を直接調理庫２２近傍で上部に存在する操作基板３３や操作基板ケース３４へと導風することにより、操作基板３３や操作基板ケース３４を調理庫２２の熱から保護し部品をその耐熱温度以下にすることが容易に可能となる。
【００２７】
このことにより、少ない風量で冷却効率を高めた構成となるため、ファン１５の回転数を低くすることができ、低騒音で高効率の冷却性能が実現できる加熱調理器とすることができる。更に周辺部材の温度上昇が制限となり調理庫２２の庫内温度が十分上げられず加熱調理性能が劣化するという課題も解決することができる。
【００２８】
また、ファン吸気口１７を吸気口１３の近傍に設けずに略同一平面とは異なる位置、例えば略垂直平面に設置し、ファン１５の吸気口１３からファン吸気口１７へ至る吸気経路を構成することにより、調理物である煮汁等が吸気口１３へ吸引されても直ちにファン吸気口１７へ至り、調理器内部へ侵入する可能性を低下させる効果がある。
【００２９】
略垂直平面とは略水平面上に対し６０〜１２０度となる平面であることが望ましい。それは、冷却が必要な発熱部品は一般的に冷却ファンに対しこの範囲内に存在するためである。
【００３０】
吸気口１３を調理器本体１２の底部もしくは、その近傍の前部に設ける位置関係上、ファン吸気口１７は吸気口１３よりも上方に設けられ、吸気口１３からファン吸気口１７へ至る吸気経路内の空気が下方から上方へ流れる。
【００３１】
万一吸気口１３から調理物である煮汁等を吸気口から吸気しても、吸気経路内で煮汁等の自重により落下し調理器内部へ侵入する可能性を低下させる効果がある。
【００３２】
更に、吸気口１３からファン吸気口１７へ至る吸気経路の断面積を吸気口１３の開口面積よりも大きくすることにより、経路中を流れる空気の流速を減少させ、吸気経路における煮汁等の自重落下を促進し、万一吸気口１３から調理物である煮汁等を吸気口から吸気してもファン吸気口１７へ至り調理器内部へ侵入する可能性を低下させる効果がある。
【００３３】
ファン１５（翼車）から発生した風の向きをファンケースにより変化させた後、制御基板上の発熱部品へ送風する構成である遠心式のファン１５を用いることにより、ファン吸気口１７に調理物の煮汁等が進入しても、煮汁の主な成分である水分は空気と比較して自重が重いため、遠心力によりファンの回転中心よりも外側へ飛ばされファンケース１６に当たり付着する。
【００３４】
このことにより直接調理機内の電子部品に水分が付着する可能性を低下させる効果がある。更にファンケース１６に付着した煮汁等の調理物が堆積することを妨げるため、ファンケース１６内部に排出溝を設け、調理器本体１２外へ排出する構成としても良い。
【００３５】
遠心式のファン１５には、多翼ファン（シロッコファン）、ターボファンやラジアルファン等やその他の遠心式のファンを用いても同様の効果が得られる。キッチンに組み込む
ビルトインタイプの加熱調理器のみならず、台上に設置する据え置きタイプの加熱調理器において前記のような構成としても同様の効果が得られる。
【００３６】
以上のように、本実施の形態においては、ファン１５の外周における略接線方向に吹き出した冷却風を第１の凹部４１へと導風する風路を有し、調理器本体１２の外から吸気した冷却風を直接調理庫２２近傍で上部に存在する操作基板３３や操作基板ケース３４へと導風することにより、操作基板３３や操作基板ケース３４を調理庫２２の熱から保護し部品をその耐熱温度以下にすることが容易に可能となり、低騒音で高効率の冷却性能が実現でき、周辺部材の温度上昇が制限となり調理庫２２の庫内温度が十分上げられず加熱調理性能の劣化を防ぐことができる。また、調理物を加熱する際に暖められた空気と共に油煙や蒸気および調理物である煮汁等を吸気口から吸気し難い構成となる。これにより、使い勝手の良い、冷却効率の優れた、信頼性に富む商品価値の高い加熱調理器とすることができる。
【００３７】
（実施の形態２）
図１、図４は本発明の第２の実施の形態における加熱調理器の詳細図を示すものである。基本的な構成は実施の形態１と同様であるため、構成の違うところのみを説明する。
【００３８】
図１、図４において、調理器本体１２を操作する操作基板３３と、操作基板３３を収納する操作基板ケース３４と、操作基板３３の下方で操作基板ケース３４に調理器本体１２前面に略平行な第２の凹部４２を調理器遮蔽板３２に設けた第１の凹部４１に沿うように設け、前記第２の凹部４２と操作基板３３とで形成される風路にファン排気口３０からファン１５の外周における略接線方向に吹き出した冷却風を導風する構成を実施の形態１に更に加えた構成とする。
【００３９】
以上のように構成された加熱調理器の冷却風の経路構成について、以下その動作、作用を説明する。
【００４０】
図１、図４に示すように、操作基板３３の下方で操作基板ケース３４との隙間に形成される風路へ導風することで、操作基板ケース３４および調理庫遮蔽板３２の断熱効果により調理庫２２の発熱により冷却風が温められずに、外気温に近い温度の比較的低い冷却風を操作基板３３側へと導風出来る。
【００４１】
以上のように、本実施の形態においては調理器本体を操作する操作基板と、操作基板を収納する操作基板ケースと、操作基板の下方で操作基板ケースに調理器本体前面に略平行な第２の凹部を調理器遮蔽板に設けた第１の凹部に沿うように設け、第２の凹部と操作基板とで形成される風路にファン排気口からファンの外周における略接線方向に吹き出した冷却風を導風することにより、調理庫周辺の部材の冷却効率を高める効果が更に得られる。操作基板３３の操作時には操作基板近傍の調理器本体１２外郭である操作部４に使用者が直接触れる。触れた際に調理庫の熱が操作する指先に伝達せず使用者が違和感なく操作できるということも得られる。
【００４２】
更に周辺部材の温度上昇が制限となり調理庫２２の庫内温度が十分上げられず加熱調理性能が劣化するという課題も解決することができる。
【００４３】
また、キッチンに組み込むビルトインタイプの加熱調理器のみならず、台上に設置する据え置きタイプの加熱調理器において前記のような構成としても同様の効果が得られる。これにより、使い勝手の良い、内部部品の冷却効率の高い、内部部品の耐久性に富む商品価値の高い加熱調理器とすることができる。
【００４４】
（実施の形態３）
図５は本発明の第３の実施の形態における加熱調理器の詳細図を示すものである。基本的な構成は実施の形態１または２と同様であるため、構成の違うところのみを説明する。図５において、第１の凹部４１または第２の凹部４２によって形成された風路の端に調理庫２２側へ連通する開口部４３を設け、調理庫２２側へ送風する風路を実施の形態１または２に更に加えた構成としている。
【００４５】
以上のように構成された加熱調理器の冷却風の流れる経路構成について、以下その動作、作用を説明する。
【００４６】
第１の凹部４１または第２の凹部４２によって形成された風路の端に調理庫２２側へ連通する開口部４３を設け、冷却風を調理庫から受熱することを少なく送風すると同時に、操作部周辺部材を冷却した後の冷却風を調理器本体２２外郭の冷却に利用できる構成となり、冷却効率を高めた信頼性に富む、内部部品の冷却効率の高い耐久性に富む商品価値の高い加熱調理器とすることができる。
【００４７】
また、調理器本体１２の外郭温度の上昇に伴い、調理器本体１２が設置されているキッチンのキャビネット等に収納されている食材の温度が上昇する。調理器本体１２の外郭温度を低減する構成とすることで、食材の温度上昇による劣化を抑制できるという効果が得られる。
【００４８】
更に調理器本体１２外郭の温度上昇が制限となり、調理庫２２の庫内温度が十分上げられず加熱調理性能が劣化するという課題も解決することができる。
【００４９】
以上のことにより調理器本体１２の特に調理庫２２側の外郭外面および周辺部材の冷却効率が向上する効果が得られる。これにより、使い勝手の良い、内部部品の冷却効率の高い、信頼性に富む商品価値の高い加熱調理器とすることができる。
【００５０】
（実施の形態４）
図６は本発明の第４の実施の形態における加熱調理器の詳細図を示すものである。基本的な構成は実施の形態３と同様であるため、構成の違うところのみを説明する。
【００５１】
図６に示すように、実施の形態３に加えて、調理庫２２と調理器本体１２外郭における調理庫２２側の側面の間に遮熱板４４を有し、調理庫２２側へ送風され、調理庫２２側へと導風された冷却風を遮熱板４４と調理器本体１２外郭における調理庫２２側の側面との間に形成され排気口１０へと至る風路を経由し排気口１０から排出する構成としている。
【００５２】
以上のように構成された加熱調理器の冷却風の流れる経路構成について、以下その動作、作用を説明する。
【００５３】
調理庫２２周辺の調理器本体１２側面側に遮熱板４４を設けることで調理庫２２側へ導風した風が調理庫２２の側面を冷却し、その際に温められた冷却風が温度の低い調理器本体１２外郭側面を温めることなく排気口１０から排出できるという効果が得られる。
【００５４】
調理器本体１２の外郭温度の上昇に伴い、調理器本体１２が設置されているキッチンのキャビネット等に収納されている食材の温度は上昇する。調理器本体１２の外郭温度を低減する構成とすることで、食材の温度上昇による劣化を抑制できるという効果が得られる。
【００５５】
また、調理庫２２周辺の部材の温度上昇が低減できる効果が得られ、調理器全体の耐久
性が向上する。調理器本体外郭が調理庫から受熱することを防ぎ冷却効率を高めた信頼性に富む、内部部品の冷却効率の高い耐久性に富む商品価値の高い加熱調理器とすることができる。
【００５６】
キッチンに組み込むビルトインタイプの加熱調理器のみならず、台上に設置する据え置きタイプの加熱調理器において前記のような構成としても同様の効果が得られる。これにより、耐久性、信頼性に富む、調理性能の高い、使い勝手の良い商品価値の高い加熱調理器とすることができる。
【００５７】
（実施の形態５）
図７は本発明の第５の実施の形態における加熱調理器の詳細図を示すものである。基本的な構成は実施の形態１から４と同様であるため、構成の違うところのみを説明する。
【００５８】
図７に示すように、実施の形態１から４に加えて第１の凹部４１または第２の凹部４２上に第１の断熱部材４５を更に有する構成とする。以上のように構成された加熱調理器の冷却風の経路構成について，以下その動作、作用を説明する。
【００５９】
第１の凹部４１または第２の凹部４２上に第１の断熱部材４５を有する構成とすることにより、更に冷却風が調理庫２２から受熱することを防ぎ冷却効率を高めた信頼性に富む、内部部品の冷却効率の高い耐久性に富む商品価値の高い加熱調理器とすることができる。
【００６０】
これにより、調理庫遮蔽板３２を介した熱伝導現象による操作基板３３または操作基板ケース３４の温度上昇を抑制できる。また、調理庫２２周辺の部材の温度上昇が低減できる効果が得られ、調理器全体の耐久性が向上する。
【００６１】
更に、周辺部材の温度上昇が制限となり調理庫２２の庫内温度が十分上げられず加熱調理性能が劣化するという課題も解決することができる。調理器本体１２外郭の温度上昇が抑制され、調理器本体１２周辺の室温上昇も防ぐことができ、快適に調理できる等の効果がある。
【００６２】
キッチン等の調理器本体１２周辺の温度上昇も抑制でき、周辺部材への温度上昇を抑え温度上昇による劣化も防ぐことができる等の効果が得られる。
【００６３】
キッチンに組み込むビルトインタイプの加熱調理器のみならず、台上に設置する据え置きタイプの加熱調理器において前記のような構成としても同様の効果が得られる。これにより、内部部品の耐久性、信頼性に富む、調理性能の高い、使い勝手の良い商品価値の高い加熱調理器とすることができる。
【００６４】
（実施の形態６）
図８は本発明の第６の実施の形態における加熱調理器の詳細図を示すものである。基本的な構成は実施の形態４と同様であるため、構成の違うところのみを説明する。
【００６５】
図８に示すように、実施の形態４に加え、調理庫２２側へと導風された冷却風を遮熱板４４と調理庫２２との間に形成され排気口へと至る風路上に第２の断熱部材４６を更に有する構成としている。以上のように構成された加熱調理器の冷却風の経路構成について、以下その動作、作用を説明する。
【００６６】
以上のように、本実施の形態においては、第２の断熱部材４６を設けることにより、冷却風が調理庫２２から受熱することを防ぎ、調理器本体外郭の冷却効率を高めた信頼性に
富む、また内部部品の冷却効率の高い耐久性に富む商品価値の高い加熱調理器とすることができる。
【産業上の利用可能性】
【００６７】
以上のように、本発明にかかる加熱調理器は、熱源や調理庫周辺の部材の温度上昇を抑制できる構成であるため，使い勝手が良い、かつ内部部品の耐久性に富み商品価値高くすることが可能となるので、他の同じような強制空冷方式を構成する加熱調理機器等の用途にも適用できる。
【符号の説明】
【００６８】
４  操作部
１０  排気口
１１  熱源
１２  調理器本体
１３  吸気口
１５  ファン
１７  ファン吸気口
２０  制御基板
２１  基板ケース
２２  調理庫
３０  ファン排気口
３１  扉
３２  調理庫遮蔽板
３３  操作基板
３４  操作基板ケース
４１  第１の凹部
４２  第２の凹部
４３  開口部
４４  遮熱板
４５  第１の断熱部材
４６  第２の断熱部材
【図１】
0005532830.tif 000002
【図２】
0005532830.tif 000003
【図３】
0005532830.tif 000004
【図４】
0005532830.tif 000005
【図５】
0005532830.tif 000006
【図６】
0005532830.tif 000007
【図７】
0005532830.tif 000008
【図８】
0005532830.tif 000009